【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
建造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、建造物からの加速応答をリアルタイムに入力するように構成されている少なくとも１つの加速度計を含み、
前記装置は、前記加速度計に接続するように構成され、前記加速応答を入力し、前記加速応答から外部ノイズを除去し、前記リアルタイムの加速応答を増幅するようにさらに構成されている濾波・増幅器を含み、
前記装置は、前記濾波・増幅器に接続するように構成され、前記濾波、増幅されたリアルタイムの加速応答を入力するようにさらに構成され、前記リアルタイムの加速応答をアナログ信号に変換し、該信号を送信するようにさらに構成されている少なくとも１つの送信機を含み、
前記装置は、前記加速度計、前記濾波・増幅器、および前記送信機に接続され、前記加速度計、前記濾波・増幅器、および前記送信機に電力を供給するように構成され、独立していない電源と、独立した電源から電力を得るようにさらに構成されている第１の電源を含む、
システム。
【請求項２】
前記加速度計は０から３０Ｈｚの読み取り範囲を有する、請求項１記載の建造物の倒壊を検出するシステム。
【請求項３】
前記独立した電源は内蔵バッテリーを有する、請求項２記載の建造物の倒壊を検出するシステム。
【請求項４】
前記装置は外部の熱ケーシングを有し、前記ケーシングは、最高１９００°Ｆまでの温度の熱による損傷から前記装置を保護するように構成されるとともに、防水性を有するようにさらに構成されている、請求項３記載の建造物の倒壊を検出するシステム。
【請求項５】
前記ケーシングは、オン／オフインジケータを有する面板と、前記装置を前記建造物に取り付けるアタッチメント手段とを有する、請求項４記載の建造物の倒壊を検出するシステム。
【請求項６】
前記オン／オフインジケータは、スイッチ機構、音声信号インジケータ、および画像信号インジケータから成る群から選択される、請求項５記載の建造物の倒壊を検出するシステム。
【請求項７】
前記アタッチメント手段は接着剤とボルトとを含む、請求項６記載の建造物の倒壊を検出するシステム。
【請求項８】
構造物の倒壊を検出するシステムであって、
リアルタイムのアナログ信号を受信し、該アナログ信号を送信するように構成されているリモート受信機を含む表示装置を有し、
前記表示装置は、前記リモート受信機に接続され、前記アナログ信号を受信するように構成され、前記リアルタイムのアナログ信号をリアルタイムのデジタル信号に変換するようにさらに構成されているアナログ／デジタルコンバータを含み、
前記表示装置は、前記コンバータに接続されて、前記リアルタイムのデジタル信号を入力し、格納されている閾値データを前記リアルタイムのデジタル信号と比較し、その比較の結果値を得るように構成されているコンピュータを含み、
前記表示装置は、前記リモート受信機、前記アナログ／デジタルコンバータ、および前記コンピュータに電力を供給するように構成され、電源から電力を得るようにさらに構成されている第２の電源を含む、
システム。
【請求項９】
前記コンピュータは、建造物の崩壊を示す前記過渡振幅と崩壊の特性を追跡し、現場でのデータ低減と解析を行うように構成され、記憶装置に接続されている中央処理装置をさらに有し、該中央処理装置は、崩壊のメカニズムをリアルタイムに表示するように構成された表示装置にさらに接続されるとともに、ユーザ入力器にさらに接続されている、請求項８記載の建造物の倒壊を検出するシステム。
【請求項１０】
前記電源はバッテリー、交流電源、および直流電源を含む、請求項９記載の建造物の倒壊を検出するシステム。
【請求項１１】
構造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、構造物からの加速応答をリアルタイムに入力するように構成されている少なくとも１つの加速度計を含み、
前記装置は、前記加速度計に接続するように構成され、前記リアルタイムの加速応答を入力し、前記加速応答から外部ノイズを除去し、前記加速応答を増幅するようにさらに構成されている濾波・増幅器と、
前記装置は、前記濾波・増幅器に接続するように構成され、前記濾波、増幅されたリアルタイムの加速応答を入力するようにさらに構成され、前記リアルタイムの加速応答をアナログ信号として送信するようにさらに構成されている少なくとも１つの送信機を含み、
前記装置は、前記加速度計、前記濾波・増幅器、および前記送信機に接続され、前記加速度計、前記濾波・増幅器、および前記送信機に電力を供給するように構成され、独立した電源から電力を得るようにさらに構成されている第１の電源を含み、
前記システムは、電源線を介して前記装置に接続されている表示装置を含み、
前記表示装置は、前記送信機からリアルタイムのアナログ信号を受信するように構成されているリモート受信機を含み、
前記表示装置は、前記リモート受信機に接続され、前記リアルタイムのアナログ信号を受信するように構成され、前記リアルタイムのアナログ信号をデジタル信号に変換するようにさらに構成されているアナログ／デジタルコンバータを含み、
前記表示装置は、前記コンバータに接続されて、前記デジタル信号を入力し、格納されている閾値データを前記デジタル信号と比較し、崩壊を示すその比較の結果値をリアルタイムに表示するように構成されているコンピュータを含み、
前記表示装置は、前記リモート受信機、前記アナログ／デジタルコンバータ、および前記コンピュータに電力を供給するように構成されている第２の電源を含み、
前記第２の電源は電源から電力を得るようにさらに構成されている、
システム。
【請求項１２】
前記加速度計は０から３０Ｈｚの読み取り範囲を有する、請求項１１記載の建造物の倒壊を検出するシステム。
【請求項１３】
前記独立した電源は内蔵バッテリーを有する、請求項１２記載の建造物の倒壊を検出するシステム。
【請求項１４】
前記装置は外部の熱ケーシングを有し、該ケーシングは、最高１９００°Ｆまでの温度の熱による損傷から前記装置を保護するように構成されるとともに、防水性を有するようにさらに構成されている、請求項１３記載の建造物の倒壊を検出するシステム。
【請求項１５】
前記ケーシングは、オン／オフインジケータを有する面板と、前記建造物に前記装置を取り付けるアタッチメント手段とを有する、請求項１４記載の建造物の倒壊を検出するシステム。
【請求項１６】
前記オン／オフインジケータは、スイッチ機構、音声信号インジケータ、および画像信号インジケータから成る群から選択される、請求項１５記載の建造物の倒壊を検出するシステム。
【請求項１７】
前記アタッチメント手段は接着剤とボルトとを含む、請求項１６記載の建造物の倒壊を検出するシステム。
【請求項１８】
前記電源線は防水性の熱コーティングを有する、請求項１７記載の建造物の倒壊を検出するシステム。
【請求項１９】
前記電源線は、前記送信機を前記リモート受信機に接続するように構成されている少なくとも１つの有線の通信回線を含む、請求項１８記載の建造物の倒壊を検出するシステム。
【請求項２０】
前記電源線は前記第２の電源から前記第１の電源に電力を供給するように構成されている有線の電源線を含む、請求項１９記載の建造物の倒壊を検出するシステム。
【請求項２１】
前記コンピュータは、記憶装置に接続された中央処理装置をさらに有し、該中央処理装置は表示装置にさらに接続されるとともに、ユーザ入力器にさらに接続されている、請求項２０記載の建造物の倒壊を検出するシステム。
【請求項２２】
前記第１の電源はバッテリー、交流電源、および直流電源を含む、請求項２１記載の建造物の倒壊を検出するシステム。
【請求項２３】
前記第１の電源は、前記建造物内にある第２の電源から電力を得るようにさらに構成されている、請求項２２記載の建造物の倒壊を検出するシステム。
【請求項２４】
前記第２の電源は交流電源、直流電源、およびバッテリーを含む、請求項２３記載の建造物の倒壊を検出するシステム。
【請求項２５】
構造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、構造物からの加速応答をリアルタイムに入力するように構成されている少なくとも１つの加速度計を含み、
前記装置は、前記加速度計に接続するように構成され、前記リアルタイムの加速応答を入力し、前記加速応答から外部ノイズを除去し、前記加速応答を増幅するようにさらに構成されている濾波・増幅器を含み、
前記装置は、前記濾波・増幅器に接続するように構成され、前記濾波、増幅されたリアルタイムの加速応答を入力するようにさらに構成され、前記加速応答をリアルタイムのアナログ信号として送信するようにさらに構成されている少なくとも１つの送信機を含み、
前記装置は、前記加速度計、前記濾波・増幅器、および前記送信機に接続され、前記加速度計、前記濾波・増幅器、および前記送信機に電力を供給するように構成され、独立した電源から電力を得るようにさらに構成されている第１の電源を含み、
前記システムは、前記リアルタイムのアナログ信号を表示装置に送信する通信手段を含み、
前記表示装置は、前記通信手段を介して前記送信機から前記リアルタイムのアナログ信号を受信するように構成されているリモート受信機を含み、
前記表示装置は、前記リモート受信機に接続され、前記アナログ信号を受信するように構成され、前記アナログ信号をリアルタイムのデジタル信号に変換するようにさらに構成されているアナログ／デジタルコンバータを含み、
前記表示装置は、前記コンバータに接続されて、前記デジタル信号を入力し、格納されている閾値データを前記デジタル信号と比較し、その比較の結果値を表示するように構成されているコンピュータを含み、
前記表示装置は、前記リモート受信機、前記アナログ／デジタルコンバータ、および前記コンピュータに電力を供給するように構成され、電源から電力を得るようにさらに構成されている第２の電源を含む、
システム。
【請求項２６】
前記加速度計は０から３０Ｈｚの読み取り範囲を有する、請求項２５記載の建造物の倒壊を検出するシステム。
【請求項２７】
前記独立した電源は内蔵バッテリーを有する、請求項２６記載の建造物の倒壊を検出するシステム。
【請求項２８】
前記装置は外部の熱ケーシングを有し、該ケーシングは、最高１９００°Ｆまでの温度の熱による損傷から前記装置を保護するように構成されるとともに、防水性を有するようにさらに構成されている、請求項２７記載の建造物の倒壊を検出するシステム。
【請求項２９】
前記ケーシングは、オン／オフインジケータを有する面板と、前記建造物に前記装置を取り付けるアタッチメント手段とを有する、請求項２８記載の建造物の倒壊を検出するシステム。
【請求項３０】
前記オン／オフインジケータは、スイッチ機構、音声信号インジケータ、および画像信号インジケータから成る群から選択される、請求項２９記載の建造物の倒壊を検出するシステム。
【請求項３１】
前記アタッチメント手段は接着剤とボルトとを含む、請求項３０記載の建造物の倒壊を検出するシステム。
【請求項３２】
前記通信手段は無線送信システムを含む、請求項３１記載の建造物の倒壊を検出するシステム。
【請求項３３】
前記コンピュータは、建造物の崩壊を示す前記過渡振幅と崩壊の特性を追跡し、現場でのデータ低減と解析を行うように構成され、記憶装置に接続されている中央処理装置をさらに有し、該中央処理装置は崩壊のメカニズムをリアルタイムに表示するように構成された表示装置にさらに接続されるとともに、ユーザ入力器にさらに接続されている、請求項３２記載の建造物の倒壊を検出するシステム。
【請求項３４】
前記電源はバッテリー、交流電源、および直流電源を含む、請求項３３記載の建造物の倒壊を検出するシステム。
【請求項３５】
前記第１の電源は、前記建造物内にある第２の電源から電力を得るようにさらに構成されている、請求項３４記載の建造物の倒壊を検出するシステム。
【請求項３６】
前記第２の電源は交流電源、直流電源、およびバッテリーを含む、請求項３５記載の建造物の倒壊を検出するシステム。
【請求項３７】
構造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、構造物からの加速応答をリアルタイムに入力するように構成されている少なくとも１つの加速度計を含み、
前記装置は、前記加速度計に接続するように構成され、前記リアルタイムの加速応答を入力し、前記加速応答から外部ノイズを除去し、前記加速応答を増幅するようにさらに構成されている濾波・増幅器を含み、
前記装置は、前記濾波・増幅器に接続するように構成され、前記リアルタイムの加速応答をリアルタイムのデジタル信号に変換するようにさらに構成されているアナログ／デジタルコンバータを含み、
前記装置は、前記コンバータに接続するように構成され、前記リアルタイムのデジタル信号を処理するようにさらに構成されているプロセッサを含み、
前記装置は、前記プロセッサに接続するように構成され、前記装置からのデータを識別するようにさらに構成されている識別器を含み、
前記装置は、前記濾波・増幅器に接続するように構成され、前記濾波、増幅されたリアルタイムの加速応答を入力するようにさらに構成され、前記リアルタイムのデジタル信号を送信するようにさらに構成されている少なくとも１つの送信機を含む、
前記装置は、前記加速度計、前記濾波・増幅器、前記アナログ／デジタルコンバータ、前記プロセッサ、前記識別器、および前記送信機に接続され、前記加速度計、前記濾波・増幅器、前記アナログ／デジタルコンバータ、前記プロセッサ、前記識別器、および前記送信機に電力を供給するように構成され、独立した電源から電力を得るようにさらに構成されている第１の電源を含む、
システム。
【請求項３８】
前記加速度計は０から３０Ｈｚの読み取り範囲を有する、請求項３７記載の建造物の倒壊を検出するシステム。
【請求項３９】
前記独立した電源は内蔵バッテリーを含む、請求項３８記載の建造物の倒壊を検出するシステム。
【請求項４０】
前記装置は外部の熱ケーシングを有し、該ケーシングは、最高１９００°Ｆまでの温度の熱による損傷から前記装置を保護するように構成されるとともに、防水性を有するようにさらに構成されている、請求項３９記載の建造物の倒壊を検出するシステム。
【請求項４１】
前記ケーシングは、オン／オフインジケータを有する面板と、前記建造物に前記装置を取り付けるアタッチメント手段とを含む、請求項４０記載の建造物の倒壊を検出するシステム。
【請求項４２】
前記オン／オフインジケータは、スイッチ機構、音声信号インジケータ、および画像信号インジケータから成る群から選択される、請求項４１記載の建造物の倒壊を検出するシステム。
【請求項４３】
前記アタッチメント手段は接着剤とボルトとを含む、請求項４２記載の建造物の倒壊を検出するシステム。
【請求項４４】
構造物の倒壊を検出するシステムであって、
送信機からリアルタイムデジタル信号を受信するように構成されているリモート受信機を含む表示装置を有し、
前記表示装置は、前記受信機に接続されて、前記デジタル信号を入力し、格納されている閾値データを前記デジタル信号と比較し、崩壊を示すその比較の結果値をリアルタイムに表示するように構成されているコンピュータとを含み、
前記表示装置は、前記リモート受信機と前記コンピュータに電力を供給するように構成されている第２の電源を含み、
前記第２の電源は、電源から電力を得るようにさらに構成されている、
システム。
【請求項４５】
前記コンピュータは、建造物の崩壊を示す前記過渡振幅と崩壊の特性を追跡し、現場でのデータ低減と解析を行うように構成され、記憶装置に接続された中央処理装置をさらに有し、前記中央処理装置は、崩壊のメカニズムをリアルタイムに表示するように構成された表示装置にさらに接続されるとともに、ユーザ入力器にさらに接続されている、請求項４４記載の建造物の倒壊を検出するシステム。
【請求項４６】
前記電源はバッテリー、交流電源、および直流電源を含む、請求項４５記載の建造物の倒壊を検出するシステム。
【請求項４７】
構造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、構造物からの加速応答をリアルタイムに入力するように構成されている少なくとも１つの加速度計を含み、
前記装置は、前記加速度計に接続するように構成され、前記リアルタイムの加速応答を入力し、前記リアルタイムの加速応答から外部ノイズを除去し、前記加速応答を増幅するようにさらに構成されている濾波・増幅器を含み、
前記装置は、前記濾波・増幅器に接続するように構成され、前記リアルタイムの加速応答をリアルタイムのデジタル信号に変換するようにさらに構成されているアナログ／デジタルコンバータを含み、
前記装置は、前記コンバータに接続するように構成され、前記リアルタイムのデジタル信号を処理するようにさらに構成されているプロセッサを含み、
前記装置は、前記プロセッサに接続するように構成され、前記装置からのデータを識別するようにさらに構成されている識別器を含み、
前記装置は、前記濾波・増幅器に接続するように構成され、前記濾波、増幅されたリアルタイムの加速応答を入力するようにさらに構成され、前記リアルタイムのデジタル信号を送信するようにさらに構成されている少なくとも１つの送信機を含む、
前記装置は、前記加速度計、前記濾波・増幅器、前記アナログ／デジタルコンバータ、前記プロセッサ、前記識別器、および前記送信機に接続され、前記加速度計、前記濾波・増幅器、前記アナログ／デジタルコンバータ、前記プロセッサ、前記識別器、および前記送信機に電力を供給するように構成され、独立した電源から電力を得るようにさらに構成されている第１の電源を含み、
前記システムは、電源線を介して前記装置に接続されている表示装置をさらに含み、
前記表示装置は、前記送信機から前記デジタル信号を受信するように構成されているリモート受信機を含み、
前記表示装置は、前記受信機に接続されて、前記デジタル信号を入力し、格納されている閾値データを前記デジタル信号と比較し、崩壊を示すその比較の結果値をリアルタイムに表示するように構成されているコンピュータを含み、
前記表示装置は、前記リモート受信機と前記コンピュータに電力を供給するように構成されている第２の電源を含み、
前記第２の電源は電源から電力を得るようにさらに構成されている、
システム。
【請求項４８】
前記加速度計は、０から３０Ｈｚの読み取り範囲を有する、請求項４７記載の建造物の倒壊を検出するシステム。
【請求項４９】
前記独立した電源は内蔵バッテリーを含む、請求項４８記載の建造物の倒壊を検出するシステム。
【請求項５０】
前記装置は外部の熱ケーシングを含む、該ケーシングは、最高１９００°Ｆまでの温度の熱による損傷から前記装置を保護するように構成されるとともに、防水性を有するようにさらに構成されている、請求項４９記載の建造物の倒壊を検出するシステム。
【請求項５１】
前記ケーシングは、オン／オフインジケータを有する面板と、前記建造物に前記装置を取り付けるアタッチメント手段とを含む、請求項５０記載の建造物の倒壊を検出するシステム。
【請求項５２】
前記オン／オフインジケータは、スイッチ機構、音声信号インジケータ、および画像信号インジケータから成る群から選択される、請求項５１記載の建造物の倒壊を検出するシステム。
【請求項５３】
前記アタッチメント手段は接着剤とボルトとを含む、請求項５２記載の建造物の倒壊を検出するシステム。
【請求項５４】
前記電源線は防水性の熱コーティングを有する、請求項５３記載の建造物の倒壊を検出するシステム。
【請求項５５】
前記電源線は前記送信機を前記リモート受信機に接続するように構成されている少なくとも１つの有線の通信回線を含む、請求項５４記載の建造物の倒壊を検出するシステム。
【請求項５６】
前記電源線は前記第２の電源から前記第１の電源に電力を供給するように構成されている有線の電源線を含む、請求項５５記載の建造物の倒壊を検出するシステム。
【請求項５７】
前記コンピュータは、建造物の崩壊を示す前記過渡振幅と崩壊の特性を追跡し、現場でのデータ低減と解析を行うように構成され、記憶装置に接続された中央処理装置をさらに有し、該中央処理装置は崩壊のメカニズムをリアルタイムに表示するように構成された表示装置にさらに接続されるとともに、ユーザ入力器にさらに接続されている、請求項５６記載の建造物の倒壊を検出するシステム。
【請求項５８】
前記電源はバッテリー、交流電源、および直流電源を含む、請求項５７記載の建造物の倒壊を検出するシステム。
【請求項５９】
前記第１の電源は、前記建造物内にある第２の電源から電力を得るようにさらに構成されている、請求項５８記載の建造物の倒壊を検出するシステム。
【請求項６０】
前記第２の電源は交流電源、直流電源、およびバッテリーを含む、請求項５９記載の建造物の倒壊を検出するシステム。
【請求項６１】
構造物の倒壊を検出するシステムであって、
建造物の崩壊を表す、前記建造物の過渡振幅と崩壊の特性をリアルタイムに求めるように構成され、前記建造物の外面における振動応答を検出する装置を有し、
前記装置は、少なくとも１つの軸方向の、構造物からの加速応答をリアルタイムに入力するように構成されている少なくとも１つの加速度計を含み、
前記装置は、前記加速度計に接続するように構成され、前記リアルタイムの加速応答を入力し、前記リアルタイムの加速応答から外部ノイズを除去し、前記加速応答を増幅するようにさらに構成されている濾波・増幅器を含み、
前記装置は、前記濾波・増幅器に接続するように構成され、前記リアルタイムの加速応答をリアルタイムのデジタル信号に変換するようにさらに構成されているアナログ／デジタルコンバータを含み、
前記装置は、前記コンバータに接続するように構成され、前記リアルタイムのデジタル信号を処理するようにさらに構成されているプロセッサを含み、
前記装置は、前記プロセッサに接続するように構成され、前記装置からのデータを識別するようにさらに構成されている識別器を含み、
前記装置は前記濾波・増幅器に接続するように構成され、前記濾波、増幅されたリアルタイムの加速応答を入力するようにさらに構成され、前記デジタル信号を送信するようにさらに構成されている少なくとも１つの送信機と、
前記装置は、前記加速度計、前記濾波・増幅器、前記アナログ／デジタルコンバータ、前記プロセッサ、前記識別器、および前記送信機に接続され、前記加速度計、前記濾波・増幅器、前記アナログ／デジタルコンバータ、前記プロセッサ、前記識別器、および前記送信機に電力を供給するように構成され、独立した電源から電力を得るようにさらに構成されている第１の電源を含み、
前記システムは、前記デジタル信号を表示装置に送信する通信手段を含み、
前記表示装置は、前記通信手段を介して前記送信機からデジタル信号を受信するように構成されているリモート受信機を含み、
前記表示装置は、前記受信機に接続されて、前記リアルタイムのデジタル信号を入力し、格納されている閾値データを前記デジタル信号と比較し、崩壊を示すその比較の結果値をリアルタイムに表示するように構成されているコンピュータを含み、
前記表示装置は、前記リモート受信機と前記コンピュータに電力を供給するように構成されている第２の電源をさらに含み、
前記第２の電源は電源から電力を得るようにさらに構成されている、
システム。
【請求項６２】
前記加速度計は０から３０Ｈｚの読み取り範囲を有する、請求項６１記載の建造物の倒壊を検出するシステム。
【請求項６３】
前記独立した電源は内蔵バッテリーを有する、請求項６２記載の建造物の倒壊を検出するシステム。
【請求項６４】
前記装置は外部の熱ケーシングを有し、該ケーシングは、最高１９００°Ｆまでの温度の熱による損傷から前記装置を保護するように構成されるとともに、防水性を有するようにさらに構成されている、請求項６３記載の建造物の倒壊を検出するシステム。
【請求項６５】
前記ケーシングは、オン／オフインジケータを有する面板と、前記建造物に前記装置を取り付けるアタッチメント手段とを含む、請求項６４記載の建造物の倒壊を検出するシステム。
【請求項６６】
前記オン／オフインジケータは、スイッチ機構、音声信号インジケータ、および画像信号インジケータから成る群から選択される、請求項６５記載の建造物の倒壊を検出するシステム。
【請求項６７】
前記アタッチメント手段は接着剤とボルトとを含む、請求項６６記載の建造物の倒壊を検出するシステム。
【請求項６８】
前記通信手段は無線送信システムを含む、請求項６７記載の建造物の倒壊を検出するシステム。
【請求項６９】
前記コンピュータは、建造物の崩壊を示す前記過渡振幅と崩壊の特性を追跡し、現場でのデータ低減と解析を行うように構成され、記憶装置に接続された中央処理装置をさらに有し、前記中央処理装置は崩壊のメカニズムをリアルタイムに表示するように構成された表示装置にさらに接続されるとともに、ユーザ入力器にさらに接続されている、請求項６８記載の建造物の倒壊を検出するシステム。
【請求項７０】
前記電源は、バッテリー、交流電源、および直流電源を含む、請求項６９記載の建造物の倒壊を検出するシステム。
【請求項７１】
前記第１の電源は、前記建造物内にある第２の電源から電力を入力するようにさらに構成されている、請求項７０記載の建造物の倒壊を検出するシステム。
【請求項７２】
前記第２の電源は、交流電源、直流電源、およびバッテリーを含む、請求項７１記載の建造物の倒壊を検出するシステム。
【請求項７３】
建造物の倒壊を検出する方法であって、
（ａ）少なくとも１つの加速度計と、濾波・増幅器と、少なくとも１つの送信機と、オン／オフインジケータとを有する装置を建造物の外面に取り付けること、
（ｂ）前記少なくとも１つの加速度計を使用して前記建造物の過渡振幅と崩壊応答を監視すること、
（ｃ）前記濾波・増幅器を使用して、ノイズを低減し、前記応答を増幅すること、
（ｄ）前記応答をリアルタイムのアナログ信号に変換すること、
（ｅ）前記送信機を使用して、前記信号をリアルタイムにリモート受信機に送信すること、
（ｆ）前記リモート受信機を使用して、該信号を受信するとともに、前記信号を、中央処理装置を有するコンピュータに送信すること、
（ｇ）建造物の崩壊を示す前記過渡振幅と崩壊の特性を追跡し、現場でのデータ低減と解析を行うように構成され、前記中央処理装置を使用して、現場でのデータの削減と解析を行い、前記信号を前記コンピューターを使用しリアルタイムにデジタル化し、該信号を閾値と比較すること、
（ｈ）前記デジタル化された信号を前記コンピュータから前記装置に送信すること、
（ｉ）前記装置に前記信号をリアルタイムに表示すること、
（ｊ）前記装置を使用して、前記建造物の倒壊状況を作業者に知らせること、
を有する方法。
【請求項７４】
前記建造物の燃焼中、前記建造物の倒壊中、および前記建造物の倒壊後の加速応答をリアルタイムに監視することをさらに有する、請求項７３記載の建造物の倒壊を検出する方法。
【請求項７５】
建造物の崩壊をリアルタイムに検出するシステムであって、
前記建造物の倒壊を示す、前期建造物の過渡応答と崩壊の特性をリアルタイムに求めるように、前記建造物の外面における振動応答を検出する手段と、
振動応答を検出する前記手段に接続され、前記振動応答から外部ノイズを除去し、該応答を増幅する手段と、
前記応答を検出する前記手段に接続され、濾波され、増幅された応答を送信し、前記加速応答をアナログ信号に変換し、誤信号を送信する手段と、
独立した電源および独立していない電源からの電力を、前記応答を検出する前記手段、外部ノイズを除去し、前記加速応答を増幅する前記手段、および濾波され、増幅された応答を送信する前記手段に供給する手段と
を有するシステム。
【請求項７６】
応答を検出する前記手段が０から３０Ｈｚの読み取り範囲を有するように構成されている、請求項７５記載の建造物の倒壊を検出するシステム。
【請求項７７】
独立した電源を供給する前記手段が内蔵バッテリーを含む、請求項７６記載の建造物の倒壊を検出するシステム。
【請求項７８】
前記システムが外部の熱ケーシングを有し、前記ケーシングは、最高１９００°Ｆまでの温度の熱による損傷から前記システムを保護するように構成されるとともに、防水性を有するようにさらに構成されている、請求項７７記載の建造物の倒壊を検出するシステム。
【請求項７９】
前記ケーシングが、オン／オフインジケータを有する面板と、前記装置を前記建造物に取り付けるアタッチメント手段とを有する、請求項７８記載の建造物の倒壊を検出するシステム。
【請求項８０】
前記オン／オフインジケータは、スイッチ機構、音声信号インジケータ、および画像信号インジケータから成る群から選択される、請求項７９記載の建造物の倒壊を検出するシステム。
【請求項８１】
前記アタッチメント手段は接着剤とボルトとを含む、請求項８０記載の建造物の倒壊を検出するシステム。
【請求項８２】
建造物の倒壊を検出するシステムであって、
リアルタイムのアナログ信号をリアルタイムのデジタル信号に変換し、該信号をリモート受信機に送信する手段に接続され、リアルタイムのアナログ信号を受信する表示手段と、
建造物の過渡応答と倒壊を示す、前記の過渡応答と倒壊の特性を追跡し、前記リアルタイムのデジタルデータを受信し、格納し、現場でのデータ削減と分析を行い、前記リアルタイムの信号を、閾値振幅と倒壊値と比較し、該値を、倒壊メカニズムをリアルタイムに表示する表示ユニット手段に送信する手段と
を有し、
前記表示手段は、電力を前記リモート受信機、前記変換手段、および前記追跡手段に供給し、電源から電力を得るように構成されている第２の電源を含む
システム。
【請求項８３】
前記電源はバッテリー、交流電源、および直流電源を含む、請求項８２記載の建造物の倒壊を検出するシステム。
【手続補正２】
【補正対象書類名】明細書
【補正対象項目名】００７５
【補正方法】変更
【補正の内容】
【００７５】
上記した方法およびシステムは、倒壊時の検出に限定されるものではない。むしろ、本発明の図１から図１０に示すシステムは、建造物の建築時に設置することができる。本発明のシステムがあらかじめ取り付けられている場合、データ収集が、発火事象を捕獲し、建造物倒壊が終了するまで続けられる。その結果、データは、発火前に始まった事象、発火から、燃焼中の構造的な応答、そして倒壊応答後の実際の倒壊までの完全なシーケンスを表わしている。
上述したように、データ獲得は事象に基づいており、構造物の現在の条件と状態は、リアルタイムの構造物の評価のために評価され、記録され、用いられる。評価は低レベルの構造物の振動を検出し、これらの振動を過渡的な振幅と崩壊速度特性に変換する、システムの能力に基づいている。
【手続補正３】
【補正対象書類名】明細書
【補正対象項目名】００７６
【補正方法】変更
【補正の内容】
【００７６】
テストデータ
倒壊メカニズムを求め、かつ本発明のシステムおよび装置を検査する一連の燃焼試験が、行なわれた。
以下の図１１から図１４に示される試験結果によってではあるが、本発明のシステムと方法は過渡的な振幅と崩壊特性を求めるように構造物の外面上の振動応答を検出する。本システムは、振動の変動を示す支配的な過渡信号およびシステムの安定性に関連する崩壊速度に変換される低レベルの振動を検出する。構造物の安定性は一定時間間隔内で十分に低下する応答振幅を特徴としている。構造物の不安定性は一定時間間隔内で低下しない増大する応答振幅を特徴としている。
【手続補正４】
【補正対象書類名】明細書
【補正対象項目名】００７８
【補正方法】変更
【補正の内容】
【００７８】
図１２（ａ）は、時間的な加速応答と、図１１に示し説明したグラフに対応する加速応答を示している。図１２（ａ）に示したデータ点は、第２の装置を使用して、燃焼中の建造物の異なった位置から取ったものである。
図１２（ａ）は、構造物の安定性を示す過渡特性を示している。構造物は振幅が増大するが、事前の過渡レベルに低下する大きな過渡的挙動を示す。時間履歴の後で、事前の過渡レベルに戻ることを許さない増大する振幅と崩壊速度を保った多過渡事象が観察される。崩壊は記録の最後の近くに示され、１２００秒に近い大きな過渡事象に一致する。
【手続補正５】
【補正対象書類名】明細書
【補正対象項目名】００７９
【補正方法】変更
【補正の内容】
【００７９】
図１２（ｂ）は、濾波後の図１２（ａ）のデータのグラフを示している。周囲騒音がない、構造的な共振の完全な信号を見るために、燃焼から得られたデータが、低域濾波器を使用して濾波された。図１２（ｂ）は、図１２（ａ）内の離散的な時間ステップの拡大図である。この図は、建造物内に発生する正弦波運動を示している。
得られた信号は、構造物の安定性と関連する過渡的状態を追跡する、本発明のシステムの能力を示している。この信号は、アリゾナ州のフェニックスでの燃焼試験中の初期にとられたもので、増大する過渡的振幅と、１６０．５秒を超える、その後の崩壊を検出するシステムの能力を強調している。この情報を提供するシステムの能力は、構造物の安定性を示す追跡過渡特性に基づく方法を可能にする。
【手続補正６】
【補正対象書類名】明細書
【補正対象項目名】００８４
【補正方法】変更
【補正の内容】
【００８４】
データ収集は、発火前に始まり、屋根が倒壊した後まで続けられた。その結果、データは、発火前の事象、発火、燃焼中の構造的な応答、屋根の実際の倒壊、および倒壊後の応答の完全なシーケンスを表わしている。デジタル画像とビデオ画像も、タイムシーケンスを設定するために得られた。倒壊の発生が、ビデオのタイムシーケンスによって実証された。装置の４つはすべて、燃焼から残存し、図１３に示したデータが、これら装置の１つから得られた。
図１３は単一家族の家に対する、過渡的振幅をベースとした崩壊インデックスを示している。ベースラインの情報は構造物の安定性に著しい変化が見られない１４００秒未満の比較のためのベースである。１４００秒を超えると、過渡振幅の急激な変化と大きな崩壊速度は究極の崩壊に至るベースラインからの大きな変化を発生する。
【手続補正７】
【補正対象書類名】明細書
【補正対象項目名】００８５
【補正方法】変更
【補正の内容】
【００８５】
図１４は、屋根倒壊時に測定された加速応答時間を示すグラフである。図示の応答は単一家族の家での燃焼試験中の構造物の全面的な崩壊に至る、変化する過渡特性のスナップショットである。屋根の梁部材の弱体化による壁の応答が１８８０秒前に始まっている。第１のピークが、約１８８６秒で発生し、大きなダイナミックな正弦波応答がこれに続いている。他のピークが約１８９８秒で発生し、ダイナミックな正弦波応答の他の群が（約１９００秒で）これに続いている。第１のピークは、屋根による油タンク崩壊に相当し、一方第２のスパイクは、玄関フロアへのタンクの衝突に相当する。正弦波応答の第１の群は、屋根の梁の弱体化により倒壊に至った短い時間中に、外壁で監視された動きに関連し、屋根を通してタンクが落下しているときの壁の応答がこれに続いている。正弦波応答の第２の群は、玄関フロアへのタンク衝突による。